(57)【要約】【課題】紙を留める編綴処理の際に、編綴機構に依存した編綴位置にかかわらず、針を使用せずに正しい位置で用紙を編綴することのできる編綴装置を提供する。【解決手段】用紙に印刷をする印刷手段と、印刷された用紙を編綴する編綴機構と、を備える印刷編綴装置を制御するための制御装置であって、正順印刷に対応した正順印刷用紙方向と逆順印刷に対応した逆順印刷用紙方向を、前記編綴機構が存在する位置と原稿方向と原稿における編綴位置に基づいて決定する用紙方向決定手段と、前記用紙方向手段により決定した正順印刷用紙方向の用紙が印刷用に用意されているならば、正順印刷を可能化して、前記用紙方向手段により決定した逆順印刷用紙方向の用紙が印刷用に用意されているならば、逆順印刷を可能化してから、前記印刷手段が可能化された正順印刷又は逆順印刷をするような制御を行う制御手段を備える。【選択図】図１０Ａ
2018196936.tif 000002
【特許請求の範囲】
【請求項１】
用紙に印刷をする印刷手段と、
印刷された用紙を編綴する編綴機構と、
を備える印刷編綴装置を制御するための制御装置であって、
正順印刷に対応した正順印刷用紙方向と逆順印刷に対応した逆順印刷用紙方向を、前記編綴機構が存在する位置と原稿方向と原稿における編綴位置に基づいて決定する用紙方向決定手段と、
前記用紙方向手段により決定した正順印刷用紙方向の用紙が印刷用に用意されているならば、正順印刷を可能化して、前記用紙方向手段により決定した逆順印刷用紙方向の用紙が印刷用に用意されているならば、逆順印刷を可能化してから、前記印刷手段が可能化された正順印刷又は逆順印刷をするような制御を行う制御手段と、
を備えることを特徴とする制御装置。
【請求項２】
請求項１に記載の制御装置であって、
前記用紙方向決定手段は、前記正順印刷用紙方向と前記逆順印刷用紙方向のうちの一方を優先して決定し、
優先して決定した印刷用紙方向に対応した方向の用紙が印刷用に用意されているならば、その印刷用紙方向に対応した順序で前記印刷手段が印刷するような制御を前記制御手段が行い、
優先して決定した印刷用紙方向に対応した方向の用紙が印刷用に用意されていないならば、前記用紙方向決定手段は、前記正順印刷用紙方向と前記逆順印刷用紙方向のうちの他方を決定し、
他方の印刷用紙方向に対応した方向の用紙が印刷用に用意されているならば、前記他方の印刷用紙方向に対応した順序で前記印刷手段が印刷するような制御を前記制御手段が行うことを特徴とする制御装置。
【請求項３】
請求項１又は２に記載の制御装置であって、
前記編綴機構が、正順印刷された用紙に対しては、針あり編綴が指定されている場合には、針あり編綴をして、針なし編綴が指定されている場合には、針なし編綴をするような制御を前記制御手段が行うことを特徴とする制御装置。
【請求項４】
請求項１乃至３の何れか１項に記載の制御装置であって、
前記編綴機構が、逆順印刷された用紙に対しては、針あり編綴が指定されている場合には、針あり編綴するような制御を前記制御手段が行うことを特徴とする制御装置。
【請求項５】
請求項１乃至３の何れか１項に記載の制御装置であって、
前記編綴機構が、逆順印刷された用紙に対しては、針あり編綴が指定されている場合であっても、印刷ページ数が閾値以下であれば針なし編綴をするような制御を前記制御手段が行うことを特徴とする制御装置。
【請求項６】
請求項１乃至３の何れか１項に記載の制御装置であって、
前記編綴機構が、逆順印刷された用紙に対しては、針なし編綴が指定されている場合には、印刷ページ数が閾値以下であれば針なし編綴をして、印刷ページ数が閾値を超えれば針あり編綴をするような制御を前記制御手段が行うことを特徴とする制御装置。
【請求項７】
請求項１乃至３の何れか１項に記載の制御装置であって、
前記編綴機構が、逆順印刷された用紙に対しては、針なし編綴が指定されている場合には、印刷ページ数が閾値以下であれば針なし編綴をして、印刷ページ数が閾値を超え且つ針あり編綴が許可されれば針あり編綴をするような制御を前記制御手段が行うことを特徴とする制御装置。
【請求項８】
請求項１乃至３の何れか１項に記載の制御装置であって、
前記印刷手段が、逆順印刷が選択されたときに、針なし編綴が指定されている場合には、印刷ページ数が閾値を超えれば印刷をしないような制御を前記制御手段が行うことを特徴とする制御装置。
【請求項９】
請求項１乃至３の何れか１項に記載の制御装置であって、
前記印刷手段が、逆順印刷が選択されたときに、針なし編綴が指定されている場合には、印刷ページ数が閾値を超え且つ印刷しないことが許可されれば印刷をしないような制御を前記制御手段が行うことを特徴とする制御装置。
【請求項１０】
請求項１乃至３の何れか１項に記載の制御装置であって、
前記印刷手段が、逆順印刷が選択されたときに、針なし編綴が指定されている場合には、印刷ページ数が閾値を超え且つ針あり編綴が許可されなければ印刷をしないような制御を前記制御手段が行うことを特徴とする制御装置。
【請求項１１】
請求項１乃至３の何れか１項に記載の制御装置であって、
逆順印刷が選択されたときに、針なし編綴が指定されている場合には、印刷ページ数が閾値を超え且つ針あり編綴が許可されず、且つ印刷しないことが許可されれば前記印刷手段が印刷をしないが、印刷しないことが許可されなければ前記印刷手段が印刷をして前記編綴機構が編綴をするような制御を前記制御手段が行うことを特徴とする制御装置。
【請求項１２】
請求項１乃至１１の何れか１項に記載の制御装置であって、
前記針なし編綴とは、圧着による編綴であることを特徴とする制御装置。
【請求項１３】
請求項１乃至１２の何れか１項に記載の制御装置と、
前記印刷手段と、
前記編綴機構と、
を備えることを特徴とする印刷編綴装置。
【請求項１４】
請求項１乃至１２の何れか１項に記載の制御装置と、
前記印刷手段と、
を備えることを特徴とする印刷装置。
【請求項１５】
請求項１乃至１２の何れか１項に記載の制御装置を備えることを特徴とする複合機。
【請求項１６】
用紙に印刷をする印刷手段と、
印刷された用紙を編綴する編綴機構と、
を備える印刷編綴装置を制御するための制御方法であって、
正順印刷する場合の正順印刷用紙方向と逆順印刷する場合の逆順印刷用紙方向を、前記編綴機構が存在する位置と原稿方向と原稿における編綴位置に基づいて決定する用紙方向決定ステップと、
前記用紙方向ステップにより決定した正順印刷用紙方向の用紙が印刷用に用意されているならば、正順印刷を可能化して、前記用紙方向手段により決定した逆順印刷用紙方向の用紙が印刷用に用意されているならば、逆順印刷を可能化してから、前記印刷手段が可能化された正順印刷又は逆順印刷をするような制御を行う制御ステップと、
を備えることを特徴とする制御方法。
【請求項１７】
請求項１６に記載の制御方法であって、
前記正順印刷用紙方向と前記逆順印刷用紙方向のうちの一方を優先して決定する用紙方向決定サブステップと、
優先して決定した印刷用紙方向に対応した方向の用紙が印刷用に用意されているならば、その印刷用紙方向に対応した順序で前記印刷手段が印刷するような制御を行う制御サブステップと、
優先して決定した印刷用紙方向に対応した方向の用紙が印刷用に用意されていないならば、前記正順印刷用紙方向と前記逆順印刷用紙方向のうちの他方を決定する用紙方向決定サブステップと、
他方の印刷用紙方向に対応した方向の用紙が印刷用に用意されているならば、前記他方の印刷用紙方向に対応した順序で前記印刷手段が印刷するような制御を行う制御サブステップと、
有することを特徴とする制御方法。
【請求項１８】
請求項１５又は１６に記載の制御方法であって、
前記編綴機構に印刷された用紙の編綴を針あり又は針なしで実行させるステップを更に有することを特徴とする制御方法。
【請求項１９】
請求項１乃至１３の何れか１項に記載の制御装置としてコンピュータを機能させるためのプログラム。
【発明の詳細な説明】
【技術分野】
【０００１】
本発明は、用紙を留める編綴処理を行うための印刷編綴装置、印刷装置、複合機、制御装置、制御方法及び制御用プログラムに関する。
【背景技術】
【０００２】
ファクシミリ受信、原稿読取（スキャナ）、印刷等の処理を1台で実行可能とされた複合機は周知である。また、こうした複合機に内蔵又は装着される、後処理装置も周知である。後処理装置は、印刷済の用紙の自動編綴処理、ファイリング用の孔を開けるパンチング処理等を行うものである。ここで編綴処理とは、複数の紙を、紐、針、圧着、編綴部材等によって綴じることを意味する。例えば複合機などでは、複数の紙に針の打ち込みと折り曲げを行って、紙を束ねて留めるステープル処理が一般に広くしられている。以下、自動編綴処理のことをステープル処理、ステープル処理される位置をステープル位置と称することとする。
【０００３】
ここで、図１を参照して、ステープル処理について説明する。図１は、従来のステープル処理の説明図である。
【０００４】
図1に示すように、原稿は、縦及び横の２種類がある。まず、奥、手前の２箇所のステープル位置を選択可能な後処理装置、即ち、奥と手前の２箇所に対応する位置に、ステープル機構が夫々搭載されている後処理装置に対して、ステープル指定位置である、編綴位置を指定した場合について説明する。
【０００５】
まず、原稿方向が縦方向（ポートレート）の場合について説明する。ここで原稿方向とは、ユーザが複合機の前に立ち、複合機の原稿台に紙などの原稿を置いたときの方向を意味する。そして、原稿を原稿台に対して縦に置いた場合を縦方向（ポートレート）、原稿を原稿台に対して横に置いた場合を横方向（ランドスケープ）となる。
【０００６】
用紙Ｐの編綴位置が「左」に指定され、用紙方向、即ち、トレイにおける用紙の配置が縦方向（ポートレート）の場合、ステープル位置Ｓは用紙Ｐの左上の位置となる。
【０００７】
用紙Ｐの編綴位置が「左」に指定され、用紙方向、即ち、トレイにおける用紙の配置が横方向（ランドスケープ）の場合、ステープル位置Ｓは図に向かって用紙Ｐの左下の位置となる。従って、この用紙を右に９０度回転させて縦方向に置いた場合、用紙Ｐの左上がステープル位置Ｓとなる。
【０００８】
用紙Ｐの編綴位置が「右」に指定され、用紙方向、即ち、トレイにおける用紙の配置が天地逆で縦方向（ポートレート）の場合、ステープル位置Ｓは図に向かって用紙Ｐの左下の位置となる。従って、この用紙Ｐを右に１８０度回転させた場合、用紙Ｐの右上がステープル位置Ｓとなる。
【０００９】
用紙Ｐの編綴位置が「右」に指定され、用紙方向、即ち、トレイにおける用紙の配置が横方向（ランドスケープ）の場合、ステープル位置Ｓは図に向かって用紙Ｐの左上の位置となる。従って、この用紙Ｐを右に９０度回転させて縦方向に置いた場合、用紙Ｐの右上がステープル位置Ｓとなる。
【００１０】
用紙Ｐの編綴位置が「上」に指定され、用紙方向、即ち、トレイにおける用紙の配置が縦方向（ポートレート）の場合、ステープル位置Ｓは図に向かって用紙Ｐの左上の位置となる。
【００１１】
用紙Ｐの編綴位置が「上」に指定され、用紙方向、即ち、トレイにおける用紙の配置が横方向（ランドスケープ）の場合、ステープル位置Ｓは図に向かって用紙Ｐの左下の位置となる。従って、この用紙Ｐを右に９０度回転させて縦方向に置いた場合、用紙Ｐの左上がステープル位置Ｓとなる。
【００１２】
次に、原稿が横方向（ランドスケープ）の場合について説明する。用紙Ｐの編綴位置が「左」に指定され、用紙方向、即ち、用紙トレイにおける用紙の配置が縦方向（ポートレート）の場合、ステープル位置Ｓは図に向かって用紙Ｐの左下の位置となる。従って、この用紙Ｐを右に９０度回転させて横方向に置いた場合、用紙Ｐの左上がステープル位置Ｓとなる。
【００１３】
用紙Ｐの編綴位置が「左」に指定され、用紙方向、即ち、トレイにおける用紙の配置が横方向（ランドスケープ）、指定印刷方向が横方向の場合、ステープル位置Ｓは、用紙Ｐの左上となる。
【００１４】
用紙Ｐの編綴位置が「右」に指定され、用紙方向、即ち、トレイにおける用紙の配置が縦方向（ポートレート）の場合、ステープル位置Ｓは図に向かって用紙Ｐの左上の位置となる。従って、この用紙Ｐを右に９０度回転させた場合、用紙Ｐの右上がステープル位置Ｓとなる。
【００１５】
用紙Ｐの編綴位置が「右」に指定され、用紙方向、即ち、トレイにおける用紙の配置が天地逆で横方向（ランドスケープ）、指定印刷方向が横方向の場合、ステープル位置Ｓは図に向かって用紙Ｐの左下の位置となる。従って、この用紙Ｐを右に１８０度回転させて横方向に置いた場合、用紙Ｐの右上がステープル位置Ｓとなる。
【００１６】
用紙Ｐの編綴位置が「上」に指定され、用紙方向、即ち、トレイにおける用紙の配置が縦方向（ポートレート）の場合、ステープル位置Ｓは図に向かって用紙Ｐの左下の位置となる。従って、この用紙Ｐを右に９０度回転させて横方向に置いた場合、用紙Ｐの左上がステープル位置Ｓとなる。
【００１７】
用紙Ｐの編綴位置が「上」に指定され、用紙方向、即ち、トレイにおける用紙の配置が横方向（ランドスケープ）の場合、ステープル位置Ｓは図に向かって用紙Ｐの左上の位置となる。
【００１８】
特許文献１には、正順印刷でステープル処理できない場合、両面印刷機能を用いることにより、逆順印刷に切り替えてステープル処理することが開示されている。ここで、正順印刷とは、１ページ目の表が正面となり、以下、２ページ目の表が続くように、１ページ目からシーケンシャルにページが表面を向いて続くような印刷を意味する。また、逆順印刷とは、最終ページの裏面が正面となり、以下、最終ページより１ページ前のページが続くように、最終ページからシーケンシャルにページが裏面を向いて続くような印刷を意味する。
【００１９】
特許文献２には、針ありと針なしをユーザが切り替え可能としたことが開示されている。ここで、「針あり」とは、ステープル処理で針を使うことを意味し、「針なし」とはステープル処理で針を使わないことを意味する。針を使わない編綴とは、紙を圧着して編綴することを意味する。
【先行技術文献】
【特許文献】
【００２０】
【特許文献１】特開２００５−８８３７５号公報（２００５年４月７日公開）
【００２１】
【特許文献２】特開２０１２−１４８５０５号公報（２０１２年８月９日公開）
【発明の概要】
【発明が解決しようとする課題】
【００２２】
ところで、複合機の前に立ったユーザの位置から奥に対応する位置のみにステープル機構が搭載されている後処理装置を内蔵、又は装着した複合機でステープル位置を指定すると、ユーザが意図する正しい位置にステープル処理ができない場合がある。以下、図1を参照して説明する。
【００２３】
図１において、「奥のみステープル位置を選択可能な後処理装置」について説明する。
【００２４】
まず、原稿が縦方向（ポートレート）の場合について説明する。用紙Ｐの編綴位置が「左」に指定され、用紙方向、即ち、トレイにおける用紙の配置が縦方向（ポートレート）の場合、ステープル位置Ｓは、ステープル機構の搭載位置に対応する、用紙Ｐの左上の位置となるから、指定した正しい位置でステープル処理を行うことができる。
【００２５】
一方、用紙Ｐの編綴位置が「左」に指定され、用紙方向、即ち、トレイにおける用紙の配置が横方向（ランドスケープ）の場合、ステープル位置Ｓは、ステープル機構の搭載位置に対応しない、図に向かって用紙Ｐの左下の位置となるため、指定した正しい位置でステープル処理を行うことができない。
【００２６】
次に、用紙Ｐの編綴位置が「右」に指定され、用紙方向、即ち、トレイにおける用紙の配置が天地逆で縦方向（ポートレート）の場合、ステープル位置Ｓは、ステープル機構の搭載位置に対応しない、図に向かって用紙Ｐの左下の位置となるから、指定した正しい位置でステープル処理を行うことができない。
【００２７】
一方、用紙Ｐの編綴位置が「右」に指定され、用紙方向、即ち、トレイにおける用紙の位置が横方向（ランドスケープ）の場合、ステープル位置Ｓは、ステープル機構の搭載位置に対応する、図に向かって用紙Ｐの左上の位置となるから、指定した正しい位置でステープル処理を行うことができる。
【００２８】
次に、用紙Ｐの編綴位置が「上」に指定され、用紙方向、即ち、トレイにおける用紙の配置が縦方向（ポートレート）の場合、ステープル位置Ｓは、ステープル機構の搭載位置に対応する、図に向かって用紙Ｐの左上の位置となるから、指定した正しい位置でステープル処理を行うことができる。
【００２９】
一方、用紙Ｐの編綴位置が「上」に指定され、用紙方向、即ち、トレイにおける用紙の配置が横方向（ランドスケープ）の場合、ステープル位置Ｓは、ステープル機構の搭載位置に対応しない、図に向かって用紙Ｐの左下の位置となるため、指定した正しい位置でステープル処理を行うことができない。
【００３０】
次に、原稿が横方向（ランドスケープ）の場合について説明する。用紙Ｐの編綴位置が「左」に指定され、用紙方向、即ち、トレイにおける用紙の配置が縦方向（ポートレート）の場合、ステープル位置Ｓは、ステープル機構の搭載位置に対応しない、図に向かって用紙Ｐの左下の位置となるため、指定した正しい位置でステープル処理を行うことができない。
【００３１】
一方、用紙Ｐの編綴位置が「左」に指定され、用紙方向、即ち、トレイにおける用紙の配置が横方向（ランドスケープ）の場合、ステープル位置Ｓは、ステープル機構の搭載位置に対応する、用紙Ｐの左上となるから、指定した正しい位置でステープル処理を行うことができる。
【００３２】
次に、用紙Ｐの編綴位置が「右」に指定され、用紙方向、即ち、トレイにおける用紙の配置が縦方向（ポートレート）の場合、ステープル位置Ｓは、ステープル機構の搭載位置に対応する、図に向かって用紙Ｐの左上の位置となるから、指定した正しい位置でステープル処理を行うことができる。
【００３３】
一方、用紙Ｐの編綴位置が「右」に指定され、用紙方向、即ち、トレイにおける用紙の配置が天地逆で横方向（ランドスケープ）の場合、ステープル位置Ｓは、ステープル機構の搭載位置に対応しない、図に向かって用紙Ｐの左下の位置となるため、指定した正しい位置でステープル処理を行うことができない。
【００３４】
次に、用紙Ｐの編綴位置が「上」に指定され、用紙方向、即ち、トレイにおける用紙の配置が縦方向（ポートレート）の場合、ステープル位置Ｓは、ステープル機構の搭載位置に対応しない、図に向かって用紙Ｐの左下の位置となるため、指定した正しい位置でステープル処理を行うことができない。
【００３５】
一方、用紙Ｐの編綴位置が「上」に指定され、用紙方向、即ち、トレイにおける用紙の配置が横方向（ランドスケープ）の場合、ステープル位置Ｓは、ステープル機構の搭載位置に対応する、図に向かって用紙Ｐの左上の位置となるから、指定した正しい位置でステープル処理を行うことができる。
【００３６】
以上の通り、奥に対応する位置でのみステープル処理ができるように、ステープル機構が配置された後処理装置を内蔵、又は装着した複合機においては、原稿が縦方向の際、編綴位置左で用紙方向が横方向の場合、編綴位置右、天地逆で用紙方向が縦方向の場合、編綴位置上、用紙方向が横方向の場合に、ユーザが指定する正しい位置にステープル処理を行うことができない。
【００３７】
また、原稿が横方向の際、編綴位置左、用紙方向が縦方向の場合、編綴位置右、天地逆で用紙方向が横方向の場合、編綴位置上、用紙方向が縦方向の場合に、ユーザが指定する正しい位置にステープル処理を行うことができない。
【００３８】
特許文献１に開示されている技術では、印刷のために用意されている用紙の向きを変えないでそのまま使うことまでは考慮していない。
【００３９】
そこで、本発明は、印刷のために用意されている用紙の向きを変えないでそのまま使いつつ、用紙を留める編綴処理の際に、編綴機構に依存した編綴位置にかかわらず編綴することのできる印刷編綴装置、印刷装置、複合機、制御装置、制御方法及び制御用プログラムを提供することを目的とする。
【課題を解決するための手段】
【００４０】
本発明によれば、
用紙に印刷をする印刷手段と、
印刷された用紙を編綴する編綴機構と、
を備える印刷編綴装置を制御するための制御装置であって、
正順印刷に対応した正順印刷用紙方向と逆順印刷に対応した逆順印刷用紙方向を、前記編綴機構が存在する位置と原稿方向と原稿における編綴位置に基づいて決定する用紙方向決定手段と、
前記用紙方向手段により決定した正順印刷用紙方向の用紙が印刷用に用意されているならば、正順印刷を可能化して、前記用紙方向手段により決定した逆順印刷用紙方向の用紙が印刷用に用意されているならば、逆順印刷を可能化してから、前記印刷手段が可能化された正順印刷又は逆順印刷をするような制御を行う制御手段と、
を備える制御装置が提供される。
【００４１】
また、本発明によれば、
上記の制御装置と、
前記印刷手段と、
前記編綴機構と、
を備えることを特徴とする印刷編綴装置が提供される。
【００４２】
更に、本発明によれば、
制御装置と、
前記印刷手段と、
を備えることを特徴とする印刷装置が提供される。
【００４３】
更に、本発明によれば、上記の制御装置を備えることを特徴とする複合機が提供される。
【００４４】
更に、本発明によれば、
用紙に印刷をする印刷手段と、
印刷された用紙を編綴する編綴機構と、
を備える印刷編綴装置を制御するための制御方法であって、
正順印刷する場合の正順印刷用紙方向と逆順印刷する場合の逆順印刷用紙方向を、前記編綴機構が存在する位置と原稿方向と原稿における編綴位置に基づいて決定する用紙方向決定ステップと、
前記用紙方向ステップにより決定した正順印刷用紙方向の用紙が印刷用に用意されているならば、正順印刷を可能化して、前記用紙方向手段により決定した逆順印刷用紙方向の用紙が印刷用に用意されているならば、逆順印刷を可能化してから、前記印刷手段が可能化された正順印刷又は逆順印刷をするような制御を行う制御ステップと、
を備えることを特徴とする制御方法が提供される。
【００４５】
更に、本発明によれば、上記の制御装置としてコンピュータを機能させるためのプログラムが提供される。
【発明の効果】
【００４６】
本発明によれば、印刷のために用意されている用紙の向きを変えないでそのまま使いつつ、用紙を留める編綴処理の際に、編綴機構に依存した編綴位置にかかわらず編綴することができる。
【図面の簡単な説明】
【００４７】
【図１】従来例のステープル処理の説明図である。
【図２】本発明の第１の実施の形態による複合機の機能ブロック図である。
【図３】本発明の第１の実施の形態による複合機の概念的断面図である。
【図４】本発明の第１の実施の形態による複合機と後処理装置を示す外観図である。
【図５】本発明の第１の実施の形態による複合機と後処理装置の要部を示す機能ブロック図である。
【図６】本発明の第１の実施の形態によるステープル処理設定選択画面を示す説明図である。
【図７】本発明の第１の実施の形態による後処理装置におけるステープル処理結果を示す説明図である。
【図８】本発明の第１の実施の形態による複合機におけるステープル設定時の動作を示すフローチャートである。
【図９】本発明の第１の実施の形態によるステープル処理の説明図である。
【図１０Ａ】本発明の第１の実施の形態による印刷及びステープル処理の動作を示すフローチャートである。
【図１０Ｂ】本発明の第１の実施の形態による印刷及びステープル処理の動作を示すフローチャートである。
【図１０Ｃ】本発明の第１の実施の形態による印刷及びステープル処理の動作を示す他のフローチャートである。
【図１０Ｄ】本発明の第１の実施の形態による印刷及びステープル処理の動作を示す更に他のフローチャートである。
【図１０Ｅ】本発明の第１の実施の形態による印刷及びステープル処理の動作を示す更に他のフローチャートである。
【図１０Ｆ】本発明の第１の実施の形態による印刷及びステープル処理の動作を示す更に他のフローチャートである。
【図１０Ｇ】本発明の第１の実施の形態による印刷及びステープル処理の動作を示す更に他のフローチャートである。
【図１０Ｈ】本発明の第１の実施の形態による印刷及びステープル処理の動作を示す更に他のフローチャートである。
【図１０Ｉ】本発明の第１の実施の形態による印刷及びステープル処理の動作を示す更に他のフローチャートである。
【図１１】本発明の第１の実施の形態による印刷順序変更の説明図である。
【図１２】（ａ）、（ｂ）、（ｃ）は、それぞれ、本発明の第１の実施の形態による後処理装置に備わる針ありステープル機構９４０ａ、針なしステープル機構９４０ｂとそれに関連した部分の平面図、断面図、前面図を示す。
【発明を実施するための形態】
【００４８】
以下、図面を参照して本発明を実施するための形態について詳細に説明する。
【００４９】
［第１の実施の形態］
第１の実施の形態は、編綴装置に関するものである。図２及び図３は、複合機８００の構成などを示すものである。
【００５０】
図２及び図３に示すように、複合機８００は、原稿の画像を読み取る原稿読取装置８２０と、シートに画像を形成する複合機本体（画像形成部本体）８３０と、原稿読取装置８２０及び複合機本体８３０を操作するための操作パネル部８５０と、操作パネル部８５０による操作に基づいて原稿読取装置８２０及び複合機本体８３０を制御する演算処理部８４０と、各種公衆回線を介して画像情報の送受信を行う送受信部８６０と、パーソナルコンピュータやサーバとの有線又は無線接続を行うためのインターフェース８７０と、画像データや各種ファイルを記憶するためのハードディスクドライブ（ＨＤＤ）８８０と、を備えている。この複合機８００には、後処理装置９００が装着される。後処理装置９００は、複合機８００で印刷された印刷画像に対して、ステープル処理、パンチ処理、紙折り処理などを行う。
【００５１】
操作パネル部８５０は、表示部８５２と入力部８５４からなるタッチパネルディスプレイであり、複合機８００のモードに応じた各種情報やボタンが表示される。
【００５２】
送受信部８６０は、原稿読取装置８２０により読み取られた画像や記憶装置に格納されている画像を送信することと、外部から画像を受信することができる。インターフェース部８７０は、外部認証サーバＳＡと接続され、複合機８００を使用するユーザの認証や、後述するマイアドレス検索のため、外部認証サーバと複合機８００の通信を制御する。
【００５３】
原稿読取装置８２０は、原稿を自動給送する原稿自動給送部ＳＰＦ（Ｓｉｎｇｌｅ  Ｐａｓｓ  Ｆｅｅｄｅｒ）８２４と、原稿の画像を読み取るスキャナ部８２２と、を備えている。また、図３に示すように、スキャナ部８２２には、原稿台８２６が備わる。
【００５４】
複合機本体８３０は、シートを給送するシート給送部１０と、シートを手差し給送可能な手差し給送部２０と、シート給送部１０又は手差し給送部２０により給送されるシートに画像を形成する画像形成部３０と、を備えている。
【００５５】
シート給送部１０は、シートを積載するシート積載部１１と、シート積載部１１に積載されたシートを１枚ずつ分離給送する分離給送部１２と、を備えている。シート積載部１１は、回転軸１３を中心に回動する中板１４を備えており、中板１４は、シートを給送する際に回動してシートを上方に持ち上げる。分離給送部１２は、中板１４により持ち上げられたシートを給送するピックアップローラ１５と、ピックアップローラ１５により給送されるシートを１枚ずつに分離する分離ローラ対１６と、を備えている。
【００５６】
手差し給送部２０は、シートを積載可能な手差しトレイ２１と、手差しトレイ２１に積載されたシートを１枚ずつ分離給送する分離給送部２２と、を備えている。手差しトレイ２１は、複合機本体８３０に回動自在に支持されており、手差し給送する際には、所定の角度に固定させることでシートを積載可能になる。分離給送部２２は、手差しトレイ２１に積載されたシートを給送するピックアップローラ２３と、ピックアップローラ２３により給送されるシートを１枚ずつに分離する分離ローラ２４及び分離パッド２５と、を備えている。
【００５７】
画像形成部３０は、イエロー（Ｙ）、マゼンタ（Ｍ）、シアン（Ｃ）、ブラック（Ｋ）の画像を形成する４つのプロセスカートリッジ３１Ｙ〜３１Ｋと、後述する感光体ドラム７４０Ｙ〜７４０Ｋと、これらの表面を露光する露光装置３２と、感光体ドラム７４０Ｙ〜７４０Ｋの表面に形成されたトナー像をシートに転写する転写部（転写手段）３３と、転写したトナー像をシートに定着させる定着部３４と、を備えている。なお、符号の最後に付すアルファベット（Ｙ、Ｍ、Ｃ、Ｋ）は、それぞれの色（イエロー、マゼンタ、シアン、ブラック）を示している。
【００５８】
４つのプロセスカートリッジ３１Ｙ〜３１Ｋのそれぞれは、複合機本体８３０から取り外し可能に構成されており、交換可能となっている。なお、４つのプロセスカートリッジ３１Ｙ〜３１Ｋは、形成する画像の色が異なること以外は同様な構成であるため、イエロー（Ｙ）の画像を形成するプロセスカートリッジ３１Ｙの構成のみの説明し、プロセスカートリッジ３１Ｍ〜３１Ｋの説明は省略する。
【００５９】
プロセスカートリッジ３１Ｙは、像担持体としての感光体ドラム７４０Ｙと、感光体ドラム７４０Ｙを帯電させる帯電器７４１Ｙと、感光体ドラム７４０Ｙ上に形成された静電潜像を現像する現像装置７４２Ｙと、感光体ドラム７４０Ｙの表面に残留するトナーを除去するドラムクリーナと、を備えている。現像装置７４２Ｙは、感光体ドラム７４０Ｙを現像する現像装置本体（詳細には図示せず）と、現像装置本体にトナーを供給するトナーカートリッジ（詳細には図示せず）と、を備えている。トナーカートリッジは、現像装置本体に着脱可能に構成されており、収容されたトナーが無くなると、現像装置本体から取り外して、交換することができるようになっている。
【００６０】
露光装置３２は、レーザ光を照射する光源（図示せず）と、レーザ光を感光体ドラム７４０Ｙ〜７４０Ｋに導く複数のミラー（図示せず）等と、を備えている。転写部３３は、感光体ドラム７４０Ｙ〜７４０Ｋに形成されたトナー像を担持する中間転写ベルト３５と、感光体ドラム７４０Ｙ〜７４０Ｋに形成されたトナー像を中間転写ベルト３５に一次転写する一次転写ローラ３６Ｙ〜３６Ｋと、中間転写ベルト３５に転写されたトナー像をシートに二次転写する二次転写ローラ３７と、中間転写ベルト３５に残留するトナーを除去するベルトクリーナ３８と、を備えている。中間転写ベルト３５は、駆動ローラ３９ａ及び従動ローラ３９ｂに掛け渡されており、一次転写ローラ３６Ｙ〜３６Ｋによって感光体ドラム７４０Ｙ〜７４０Ｋに押し付けられている。二次転写ローラ３７は、駆動ローラ３９ａとで中間転写ベルト３５をニップ（挟持）しており、ニップ部Ｎで中間転写ベルト３５が担持するトナー像をシートに転写する。定着部３４は、シートを加熱する加熱ローラ３４ａと、加熱ローラ３４ａに圧接する加圧ローラ３４ｂと、を備えている。
【００６１】
エンジン部４０は、複合機本体８３０で生成した印刷画像を、後処理装置９００において後処理をするため、複合機本体８３０と後処理装置９００のインターフェースの役割を担う。
【００６２】
操作パネル部８５０は、所定の情報を表示する表示部８５２と、利用者が原稿読取装置８２０及び複合機本体８３０への指示を入力する入力部８５４と、を備えている。本実施形態においては、操作パネル部８５０は、スキャナ部８２２の正面側に配設されている。なお、正面側は図１の紙面の手前側に対応し、裏面側は図１の背面側に対応する。
【００６３】
図２に示すように、演算処理部８４０は、シート給送部１０、手差し給送部２０、画像形成部３０及び原稿読取装置８２０を駆動制御する制御部５０と、制御部５０を動作させるための各種プログラムと制御部５０が用いる各種情報等を記憶する記憶部６０と、を備えている。記憶部６０は、原稿読取装置８２０により読み取られた画像や送受信部８６０により受信した画像を格納することができる。演算処理部８４０は、利用者による操作パネル部８５０への操作に基づいて、シート給送部１０、手差し給送部２０、画像形成部３０及び原稿読取装置８２０の動作を統合して制御し、シートに画像を形成させる。
【００６４】
次に、上述のように構成された複合機８００による画像形成動作（演算処理部８４０による画像形成制御）について説明する。本実施形態においては、原稿自動給送部８２４により給送され、スキャナ部８２２により読み取られた読取原稿の画像を、シート給送部１０により給送されるシートに画像形成部３０が形成する画像形成動作を例にとり説明する。
【００６５】
利用者による操作パネル部８５０の入力部８５４への入力により、画像形成開始信号が発信されると、利用者により原稿自動給送部８２４に載置された読取原稿が原稿読取位置に向けて自動給送され、原稿読取位置でスキャナ部８２２によって画像が読み取られる。スキャナ部８２２により原稿の画像が読み取られると、読み取られた原稿の画像情報に基づいて、露光装置３２が感光体ドラム７４０Ｙ〜７４０Ｋに向けて、それぞれに対応する複数のレーザ光を照射する。このとき、感光体ドラム７４０Ｙ〜７４０Ｋは、それぞれ、帯電器７４１Ｙ〜７４１Ｋにより予め帯電されており、それぞれに対応するレーザ光が照射されることで感光体ドラム７４０Ｙ〜７４０Ｋ上にそれぞれの静電潜像が形成される。その後、現像装置７４２Ｙ〜７４２Ｋにより感光体ドラム７４０Ｙ〜７４０Ｋ上にそれぞれ形成された静電潜像が現像され、感光体ドラム７４０Ｙ〜７４０Ｋ上に、イエロー（Ｙ）、マゼンタ（Ｍ）、シアン（Ｃ）及びブラック（Ｋ）のトナー像が形成される。感光体ドラム７４０Ｙ〜７４０Ｋ上に形成された各色のトナー像は、一次転写ローラ３６Ｙ〜３６Ｋによって中間転写ベルト３５に重畳転写され、重畳転写されたトナー像（フルカラーのトナー像）は、中間転写ベルト３５に担持された状態でニップ部Ｎまで搬送される。
【００６６】
上述の画像形成動作に並行して、シート積載部１１に積載されたシートが、分離給送部１２によって１枚ずつに分離されながら、ピックアップローラ１５によりシート搬送路２６に給送される。そして、ニップ部Ｎのシート搬送方向上流にあるレジストローラ対２７で、斜行が補正されると共に、所定の搬送タイミングでニップ部Ｎに搬送される。ニップ部Ｎに搬送されたシートは、二次転写ローラ３７によって中間転写ベルト３５が担持するフルカラーのトナー像が転写される。
【００６７】
トナー像が転写されたシートは、定着部３４で加熱・加圧されることでトナー像が溶融定着され、排出ローラ対１８により装置外に排出される。装置外に排出されたシートは、排出シート積載部１９に積載される。
【００６８】
なお、シートの両面（第１面及び第２面）に画像を形成する場合には、第１面に画像が形成されたシートが装置外に排出される前に、排出ローラ対１８を逆回転させて両面搬送路１７に搬送し、両面搬送路１７を介して画像形成部３０に再搬送する。そして、第１面と同様に、第２面に画像を形成し、装置外に排出する。装置外に排出されたシートは、排出シート積載部１９に積載される。
【００６９】
次に、図４を参照して、図２に示す後処理装置９００について説明する。図４に示すように、後処理装置９００は、図２及び図３に示した複合機８００に装着されるものであり、複合機８００の給紙トレイ８９０から給紙され、印刷処理された用紙に対し、ステープル処理、パンチ処理、紙折り処理などを行い、処理済の用紙を、排紙トレイ９３０から出力する。ここでパンチ処理は、紙にファイリングのための孔を開けることを意味する。
【００７０】
次に、図５を参照して、複合機８００及び後処理装置９００の要部について説明する。図２乃至図４と同じのものには同一符号を付している。図２に示した制御部５０は、ユーザの印刷指示に基づくジョブを管理する印刷ジョブ管理部５１、印刷ジョブを実行する印刷ジョブ実行部５２、画像処理部５３、ファイル制御部５４、表示制御部５５を有する。スキャナ部８２２で読み取られたスキャン画像は、記憶部６０をバッファとして、ファイル制御部５４の制御により、画像ファイルとしてＨＤＤ８８０に記憶される。画像処理部５３は、後述するステープル処理の際に、ユーザから指定されたステープル位置と、原稿方向、用紙方向に応じて画像の上下回転などの処理を行う。
【００７１】
ユーザから印刷の指示があると、印刷ジョブ管理部５１に、そのジョブが登録される。そして、印刷ジョブ実行部５２が、登録ジョブデータに基づいて、ファイル制御部５４を介してＨＤＤ８８０から印刷対象のファイルを読み込み、記憶部６０に展開する。記憶部６０に記憶された画像データは、印刷ジョブ実行部５２の制御により、複合機本体８３０によって用紙に画像として印刷される。
【００７２】
用紙に印刷された印刷画像は、後処理装置９００に送られ、エンジン部４０の後処理指示に基づいた後処理が施される。後処理の結果は、後処理装置からエンジン部４０を介して制御部５０に供給される。
【００７３】
後処理装置９００は、ステープル処理、パンチ処理、紙折り処理等の後処理を制御するための後処理制御部９１０、後処理用のトレイ９２０、後処理後の用紙を排紙するための排紙トレイ９３０、ステープル装置９４０、パンチ装置９５０及び紙折り装置９６０を有する。ステープル装置９４０でステープル処理を行うためには、ステープル処理の設定を行う必要がある。なお、図１２を参照して後述するように、ステープル装置９４０は、針ありステープル機構９４０ａ、針なしステープル機構９４０ｂを含む。このステープル処理設定の選択画面は、表示部８５２に表示される。図６にこの表示例を示す。この図６に示すように、ステープル処理設定選択画面は、「ステープルソート設定」用のボタン群と、「ステープル編綴位置設定」用のボタン群と、出力イメージ領域Ａ１からなる。「ステープルソート設定」のボタンとして、「ＯＦＦ」ボタンＢ１、「１箇所」ボタンＢ２、「２箇所」ボタンＢ３、「針なしステープル」ボタンＢ４が用意され、「ステープル編綴位置設定」のボタンとして、「左」ボタンＢ５、「右」ボタンＢ６、「上」ボタンＢ７が用意される。ここで、針なしステープルとは、針を使わずに圧着によって複数枚の用紙を編綴することを意味する。
【００７４】
図１２は、後処理装置９００のステープル装置９４０に含まれる針ありステープル機構９４０ａ、針なしステープル機構９４０ｂとそれに関連した部分を示す。図１２（ａ）は、平面図、図１２（ｂ）は、図１２（ａ）の切断線ＸＩＩＢ−ＸＩＩＢに沿った断面図、図１２（ｃ）は、前面図である。トレイ９７０は、トレイ底板９７０ａ、トレイ後端板９７０ｂ及びトレイ天板９７０ｃを有する。針ありステープル機構９４０ａ、針なしステープル機構９４０ｂは、平面図における右上（この位置は、左側編綴位置に対応する。）付近において、トレイ底板９７０ａ、トレイ後端板９７０ｂ及びトレイ天板９７０ｃを側面から見て囲むように配置される。この後処理装置９００は、図１２から明らかなように、右側編綴位置付近には、ステープル装置を備えていない。なお、針ありステープル機構９４０ａ、針なしステープル機構９４０ｂは、綴位置を調整するために、奥側の一部の範囲でスライド可能である。また、図示しないが、トレイ底板９７０ａ、トレイ後端板９７０ｂ及びトレイ天板９７０ｃの少なくとも１つ貫通孔を設け、これを通り、針ありステープル機構９４０ａ、針なしステープル機構９４０ｂが用紙を編綴することができるようにしてもよいし、他の構成により、針ありステープル機構９４０ａ、針なしステープル機構９４０ｂが用紙を編綴できるようにしてもよい。
【００７５】
針なしステープルについては、例えばシャープ株式会社の２０１７年２月現在のカタログ「デジタルフルカラー複合機  ＭＸ−３６５０／３１５０ＦＮ／２６５０ＦＮ（ビ（オ）−１２７０  Ｒ．１０  ＭＸ３６５０）」の４ページに開示されている。
【００７６】
また、出力イメージ領域Ａ１には、「ステープルソート設定」と「ステープル編綴位置設定」で設定された結果が、画像ＩＭＡＧＥとして表示される。これによって、ユーザは、自身の設定を視覚的に確認することができる。
【００７７】
図６に示すステープル処理設定選択画面を通じて行った設定により、図７に示すように、３つのパターンでステープル処理が行われる。図７は、ステープル処理結果を用紙の裏面から見た場合の説明図である。図７ａは排出方向に対して右下、図７ｂは排出方向に対して右上、図７ｃは排出方向に対して右２箇所である。この図７から明らかなように、針を使ったステープル処理は、裏面で、針が山状に折り曲げられ、その先端が用紙に食い込んだ仕上がりとなる。従って、通常、印刷物を綴じた際、印刷物の表面において針がフラットに、裏面において針が山状に折り曲げられその先端が用紙に食い込むよう、針の表裏が選定される。針の配置がこの逆、即ち、印刷物の表面において針が山状に折り曲げられその先端が用紙に食い込むようになっていた場合、美観を損ねるおそれがある。
【００７８】
次に、図６及び図８を参照して、ステープル処理設定の動作について説明する。図８は、ステープル処理設定の動作を示すフローチャートである。このステープル処理設定は、図６を参照して説明したステープル処理設定選択画面を介して行われる、ユーザの指定に基づくものである。
【００７９】
まず、「ＯＦＦ」ボタンＢ１が押されたか否かを判断する（ステップＳ１００）。ＯＦＦボタンＢ１が押されたと判断した場合は終了し、押されていないと判断した場合は、「針なしステープル」ボタンＢ４が押されたか否かを判断し（ステップＳ１１０）、押されたと判断した場合には、針なしステープルを設定するため、フラグＦＬＧに「０」を代入する（ステップＳ１２０）。ここで針なしステープルとは、針を使わずに、圧着によって用紙を編綴することを意味する。
【００８０】
「針なしステープル」ボタンＢ４が押されなかったと判断した場合には、「１箇所」ボタンＢ２が押されたか否かを判断し（ステップＳ２１０）、押されていると判断した場合には１箇所の設定をするため、フラグＦＬＧに「１」を代入する（ステップＳ２２０）。ここで１箇所の設定とは、ステープルソート設定において、ステープル位置Ｓを１箇所に設定することを意味する。
【００８１】
「１箇所」ボタンＢ２が押されなかったと判断した場合は、「２箇所」ボタンＢ３が押されたか否かを判断し（ステップＳ２３０）、押されたと判断した場合には、２箇所の設定をするため、フラグＦＬＧに「２」を代入する（ステップＳ２４０）。
【００８２】
フラグＦＬＧに夫々の判断結果としての値が代入された後は、「左」ボタンＢ５が押されたか否かを判断し、押されたと判断した場合には、出力イメージ領域Ａ１に、対応する画像ＩＭＡＧＥを表示する（ステップＳ１４０）。そして、左処理を行う（ステップＳ１５０）この左処理では、フラグＦＬＧの値が参照され、「０」ならば左上に針なしステープル処理がされ、「１」ならば左上に針によるステープル処理がされ、「２」ならば左に２箇所ステープル処理がされる。左２箇所のステープル処理とは、図７ｃを参照して説明したように、用紙が縦方向（ポートレート）の場合に、左側、且つ、縦方向に２箇所ステープル処理がされることを意味する。
【００８３】
「左」ボタンＢ５が押されなかったと判断した場合には、「右」ボタンＢ６が押されたか否かを判断（ステップＳ１６０）し、押されていると判断した場合には、出力イメージ領域Ａ１に、対応する画像ＩＭＡＧＥを表示する（ステップＳ１７０）。そして、右処理を行う（ステップＳ１８０）この右処理では、フラグＦＬＧの値が参照され、「０」ならば右上に針なしステープル処理がされ、「１」ならば右上に針によるステープル処理がされ、「２」ならば右に２箇所ステープル処理がされる。右２箇所のステープル処理とは、用紙が縦方向（ポートレート）の場合に、右側、且つ、縦方向に２箇所ステープル処理がされることを意味する。
【００８４】
「右」ボタンＢ５が押されなかったと判断した場合には、「上」ボタンＢ７が押されたものとして、出力イメージ領域Ａ１に、対応する画像ＩＭＡＧＥを表示する（ステップＳ１９０）。そして、上処理を行う（ステップＳ２００）この上処理では、フラグＦＬＧの値が参照され、「０」ならば左上に針なしステープル処理がされ、「１」ならば左上に針によるステープル処理がされ、「２」ならば上に２箇所ステープル処理がされる。上２箇所のステープル処理とは、用紙が縦方向（ポートレート）の場合に、上側、且つ、横方向に２箇所ステープル処理がされることを意味する。
【００８５】
次に、図１及び図９を参照してステープル処理について説明する。図９は、用紙に対して奥の１箇所にのみステープル処理を行うことができる後処理装置９００が用いられた場合の説明図である。
【００８６】
まず、原稿が縦方向（ポートレート）の場合について説明する。図１に示すように、用紙Ｐの編綴位置が「左」に指定され、用紙方向、即ち、トレイにおける用紙の配置が縦方向（ポートレート）の場合、ステープル位置Ｓは、ステープル機構の搭載位置に対応する、用紙Ｐの左上の位置となるから、指定した正しい位置でステープル処理を行うことができる。
【００８７】
一方、用紙Ｐの編綴位置が「左」に指定され、用紙方向、即ち、トレイにおける用紙の配置が横方向（ランドスケープ）の場合、ステープル位置Ｓは、ステープル機構の搭載位置に対応しない、図に向かって用紙Ｐの左下の位置となるため、指定した正しい位置でステープル処理を行うことができない。
【００８８】
そこで、図９に示すように、印刷順序を逆順として、且つ、印刷の表裏を逆にすることで、用紙Ｐの正しい位置にステープル処理を行う。以下、印刷順序を逆順として、且つ、印刷の表裏を逆にすることを「逆順印刷」するということにする。また、印刷順序を正順として、且つ、印刷の表裏を逆にしないことを「正順印刷」するということにする。用紙Ｐの編綴位置が「左」に指定され、用紙方向、即ち、トレイにおける用紙の配置が横方向（ランドスケープ）の場合、ステープル位置Ｓは図に向かって用紙Ｐの左上の位置となる。従って、この用紙Ｐを右に９０度回転させて縦方向に置き、更に表裏反転させた場合、用紙Ｐの左上がステープル位置Ｓとなる。
【００８９】
尚、第１の実施の形態においては、この逆順処理を行った場合には針を使わない。針を使ってステープル処理をした場合には、針は、用紙の表面に山状となって現われることになり、美観を損なうおそれがある。
【００９０】
一方、第1の実施の形態においては、針を使わず、圧着によるステープル処理を行うため、美観を損なうことが無い。
【００９１】
次に、図１に示すように、用紙Ｐの編綴位置が「右」に指定され、用紙方向、即ち、トレイにおける用紙の配置が天地逆で縦方向（ポートレート）の場合、ステープル位置Ｓは、ステープル機構の搭載位置に対応しない、図に向かって用紙Ｐの左下の位置となるから、指定した正しい位置でステープル処理を行うことができない。そこで、図９に示すように、印刷を逆順印刷とすることで、用紙Ｐの正しい位置でステープル処理を行う。
【００９２】
用紙Ｐの編綴位置が「右」に指定され、用紙方向、即ち、トレイにおける用紙の配置が縦方向（ポートレート）の場合、ステープル位置Ｓは図に向かって用紙Ｐの左上の位置となる。従って、この用紙Ｐを表裏反転させた場合、用紙Ｐの右上がステープル位置Ｓとなる。
【００９３】
尚、第１の実施の形態においては、この逆順処理を行った場合には針を使わない。針を使ってステープル処理をした場合には、針は、用紙の表面に山状となって現われることになり、美観を損なうおそれがある。尚、第1の実施の形態においては、針を使わず、圧着によるステープル処理を行うため、美観を損なうことが無い。
【００９４】
一方、用紙Ｐの編綴位置が「右」に指定され、用紙方向、即ち、トレイにおける用紙の配置が横方向（ランドスケープ）の場合、ステープル位置Ｓは、ステープル機構の搭載位置に対応する、図に向かって用紙Ｐの左上の位置となるから、指定した正しい位置でステープル処理を行うことができる。
【００９５】
次に、図１に示すように、用紙Ｐの編綴位置が「上」に指定され、用紙方向、即ち、トレイにおける用紙の配置が縦方向（ポートレート）の場合、ステープル位置Ｓは、ステープル機構の搭載位置に対応する、図に向かって用紙Ｐの左上の位置となるから、指定した正しい位置でステープル処理を行うことができる。
【００９６】
一方、用紙Ｐの編綴位置が「上」に指定され、用紙方向、即ち、トレイにおける用紙の配置が横方向（ランドスケープ）の場合、ステープル位置Ｓは、ステープル機構の搭載位置に対応しない、図に向かって用紙Ｐの左下の位置となるため、指定した正しい位置でステープル処理を行うことができない。
【００９７】
そこで、図９に示すように、印刷を逆順印刷とすることで、用紙Ｐの正しい位置にステープル処理を行う。用紙Ｐの編綴位置が「上」に指定され、用紙方向、即ち、トレイにおける用紙の配置が横方向（ランドスケープ）の場合、ステープル位置Ｓは図に向かって用紙Ｐの左上の位置となる。従って、この用紙Ｐを右に９０度回転させて縦方向に置き、更に表裏反転させた場合、用紙Ｐの左上がステープル位置Ｓとなる。
【００９８】
尚、第１の実施の形態においては、この逆順処理を行った場合には針を使わない。針を使ってステープル処理をした場合には、針は、用紙の表面に山状となって現われることになり、著しく美観を損なうおそれがある。しかしながら、第1の実施の形態においては、針を使わず、圧着によるステープル処理を行うため、美観を損なうことが無い。
【００９９】
次に、原稿が横方向（ランドスケープ）の場合について説明する。図１に示すように、用紙Ｐの編綴位置が「左」に指定され、用紙方向、即ち、トレイにおける用紙の配置が縦方向（ポートレート）の場合、ステープル位置Ｓは、ステープル機構の搭載位置に対応しない、図に向かって用紙Ｐの左下の位置となるため、指定した正しい位置でステープル処理を行うことができない。
【０１００】
そこで、図９に示すように、印刷を逆順印刷とすることで、用紙Ｐの正しい位置にステープル処理を行う。用紙Ｐの編綴位置が「左」に指定され、用紙方向、即ち、トレイにおける用紙の配置が縦方向（ポートレート）の場合、ステープル位置Ｓは図に向かって用紙Ｐの左上の位置となる。従って、この用紙Ｐを右に９０度回転させて縦方向に置き、更に表裏反転させた場合、用紙Ｐの左上がステープル位置Ｓとなる。
【０１０１】
尚、第１の実施の形態においては、この逆順処理を行った場合には針を使わない。針を使ってステープル処理をした場合には、針は、用紙の表面に山状となって現われることになり、著しく美観を損なうおそれがある。しかしながら、第1の実施の形態においては、針を使わず、圧着によるステープル処理を行うため、美観を損なうことが無い。一方、用紙Ｐの編綴位置が「左」に指定され、トレイにおける用紙の配置が横方向（ランドスケープ）、指定印刷方向が横方向の場合、ステープル位置Ｓは、ステープル機構の搭載位置に対応する、用紙Ｐの左上となるから、指定した正しい位置でステープル処理を行うことができる。
【０１０２】
次に、図１に示すように、用紙Ｐの編綴位置が「右」に指定され、用紙方向、即ち、トレイにおける用紙の配置が縦方向（ポートレート）の場合、ステープル位置Ｓは、ステープル機構の搭載位置に対応する、図に向かって用紙Ｐの左上の位置となるから、指定した正しい位置でステープル処理を行うことができる。
【０１０３】
一方、用紙Ｐの編綴位置が「右」に指定され、用紙方向、即ち、トレイにおける用紙の配置が横方向（ランドスケープ）の場合、ステープル位置Ｓは、ステープル機構の搭載位置に対応しない、図に向かって用紙Ｐの左下の位置となるため、指定した正しい位置でステープル処理を行うことができない。
【０１０４】
そこで、図９に示すように、印刷を逆順印刷とすることで、用紙Ｐの正しい位置にステープル処理を行う。用紙Ｐの編綴位置が「右」に指定され、用紙方向、即ち、トレイにおける用紙の配置が横方向（ランドスケープ）の場合、ステープル位置Ｓは図に向かって用紙Ｐの左上の位置となる。従って、この用紙Ｐを表裏反転させた場合、用紙Ｐの右上がステープル位置Ｓとなる。
【０１０５】
次に、図１に示すように、用紙Ｐの編綴位置が「上」に指定され、用紙方向、即ち、トレイにおける用紙の配置が縦方向（ポートレート）の場合、ステープル位置Ｓは、ステープル機構の搭載位置に対応しない、図に向かって用紙Ｐの左下の位置となるため、指定した正しい位置でステープル処理を行うことができない。
【０１０６】
そこで、図９に示すように、印刷を逆順印刷とすることで、用紙Ｐの正しい位置にステープル処理を行う。用紙Ｐの編綴位置が「上」に指定され、用紙方向、即ち、トレイにおける用紙の配置が縦方向（ポートレート）の場合、ステープル位置Ｓは図に向かって用紙Ｐの左上の位置となる。従って、この用紙Ｐを右に９０度回転させて縦方向に置き、更に表裏反転させた場合、用紙Ｐの左上がステープル位置Ｓとなる。
【０１０７】
一方、用紙Ｐの編綴位置が「上」に指定され、用紙方向、即ち、トレイにおける用紙の配置が横方向（ランドスケープ）の場合、ステープル位置Ｓは、ステープル機構の搭載位置に対応する、図に向かって用紙Ｐの左上の位置となるから、指定した正しい位置でステープル処理を行うことができる。
【０１０８】
以上の通り、奥に対応する位置にのみステープル機構が搭載された後処理装置を内蔵、又は装着した複合機であっても、ユーザが意図する正しいステープル位置Ｓにてステープル処理を行うことができる。
【０１０９】
次に、図１０Ａ乃至図１０Ｉを参照して、第１の実施の形態による、印刷及びステープル処理の動作について説明する。
【０１１０】
図１０Ａを参照すると、ステープル設定がなければ（ステップ６０１でＮＯ）、ステップＳ６０３に進み、ステープル設定があれば（ステップＳ６０１でＹＥＳ）、ステップＳ６０９に進む。
【０１１１】
ステップＳ６０３では、原稿サイズと原稿方向と同一になるように用紙サイズと用紙方向を決定する。
【０１１２】
次に、ステップＳ６０３で決定したサイズと方向の用紙が印刷用に準備されているならば（つまり、シート積載部１１にあり、又は、手差しトレイ２１に差し込まれていれば）（ステップＳ６０５でＹＥＳ）、正順印刷をする（ステップＳ６０７）。そうでないならば（ステップＳ６０５でＮＯ）、印刷を中止する。
【０１１３】
ステップＳ６０９では、ステープル装置９００の位置と正順印刷を前提として用紙サイズと用紙方向を決定する。この選択に際しては、図９に示す対応関係を利用する。つまり、原稿方向が縦、原稿における編綴位置が左であれば、原稿サイズと同一サイズの縦方向の用紙に決定する。また、原稿方向が縦、原稿における編綴位置が右であれば、原稿サイズと同一サイズの横方向の用紙に決定する。更に、原稿方向が縦、原稿における編綴位置が上であれば、原稿サイズと同一サイズの縦方向の用紙に決定する。更に、原稿方向が横、原稿における編綴位置が左であれば、原稿サイズと同一サイズの横方向の用紙に決定する。更に、原稿方向が横、原稿における編綴位置が右であれば、原稿サイズと同一サイズの縦方向の用紙に決定する。更に、原稿方向が横、原稿における編綴位置が上であれば、原稿サイズと同一サイズの横方向の用紙に決定する。
【０１１４】
次に、ステップＳ６０９で決定したサイズと方向の用紙が印刷用に準備されているならば（つまり、シート積載部１１にあり、又は、手差しトレイ２１に差し込まれていれば）（ステップＳ６１１でＹＥＳ）、正順印刷をしてから（ステップＳ６１３）、ステープル処理をする（ステップＳ６１５）。ここで、図６に示す画面で「１箇所」又は「２箇所」が選択されているならば、針ありのステープル処理を行い、「針なしステープル」が選択されているならば、針なしのステープル処理を行う。なお、針なしのステープル処理の場合の枚数制限は、既に行われているものとする。又は、「針なしステープル」が選択されていて、制限枚数を超えている場合には、針ありでステープル処理を行ってもよいし、ステープル処理を中止してもよいし、それより前に印刷を中止してもよい（ステップＳ６１３を実行する前に処理を中止してもよい）。
【０１１５】
ステップＳ６０９で決定したサイズと方向の用紙が印刷用に準備されていないならば（つまり、シート積載部１１になく、且つ、手差しトレイ２１に差し込まれてもいないならば）（ステップＳ６１１でＮＯ）、ステープル装置９００の位置と逆順印刷を前提として用紙サイズと用紙方向を決定する。この選択に際しては、図９に示す対応関係を利用する。つまり、原稿方向が縦、原稿における編綴位置が左であれば、原稿サイズと同一サイズの横方向の用紙に決定する。また、原稿方向が縦、原稿における編綴位置が右であれば、原稿サイズと同一サイズの縦方向の用紙に決定する。更に、原稿方向が縦、原稿における編綴位置が上であれば、原稿サイズと同一サイズの横方向の用紙に決定する。更に、原稿方向が横、原稿における編綴位置が左であれば、原稿サイズと同一サイズの縦方向の用紙に決定する。更に、原稿方向が横、原稿における編綴位置が右であれば、原稿サイズと同一サイズの横方向の用紙に決定する。更に、原稿方向が横、原稿における編綴位置が上であれば、原稿サイズと同一サイズの縦方向の用紙に決定する。
【０１１６】
次に、ステップＳ６１７で決定したサイズと方向の用紙が印刷用に準備されているならば（つまり、シート積載部１１にあり、又は、手差しトレイ２１に差し込まれていれば）（ステップＳ６１９でＹＥＳ）、針ありが指定されているか否かを判断する（ステップＳ６２０）。ここで、針ありが指定されているとは、図６の画面において「１箇所」又は「２箇所」が指定されていることである。
【０１１７】
針ありが指定されていれば（ステップＳ６２０でＹＥＳ）、逆順印刷をしてから（ステップＳ６２３）、針ありのステープラー処理を行う（ステップＳ６２５）。
【０１１８】
針ありが指定されていなければ、つまり、針なしのステープル処理が指定されていれば（ステップＳ６２０でＮＯ）、印刷ページ数が閾値を超えるか否かを判断する（ステップＳ６２１）。
【０１１９】
印刷ページ数が閾値を超えるのであれば（ステップＳ６２１でＹＥＳ）、逆順印刷をしてから（ステップＳ６２３）、針ありのステープル処理をする（ステップＳ６２５）。
【０１２０】
印刷ページ数が閾値を超えないのであれば（ステップＳ６２１でＮＯ）、逆順印刷をしてから（ステップＳ６２７）、針なしのステープル処理をする（ステップＳ６２９）。
【０１２１】
次に、ステップＳ６１７で決定したサイズと方向の用紙が印刷用に準備されているならば（つまり、シート積載部１１になく、且つ、手差しトレイ２１に差し込まれてもいないならば）（ステップＳ６１９でＮＯ）、ステープルの設定を解除してから（ステップＳ６３３）、ステップＳ６０３に進む。
【０１２２】
なお、図１０Ａの説明では、印刷時の原稿の変倍率に関連した部分を割愛している。
【０１２３】
次に、具体的な説明をする。
【０１２４】
装置には、左側編綴位置の編綴機構のみがあるとする。そして、ポートレイト方向（縦方向）の用紙のみが用意されている場合には次のようになる。
【０１２５】
原稿方向がポートレイト方向であり、編綴位置が左であり、正順印刷をする場合に必要な用紙の方向は、ポートレイト方向であるが（ステップＳ６０９）、この方向の用紙が用意されているので（ステップＳ６１１でＹＥＳ）、正順で印刷をする（ステップＳ６１３）。
【０１２６】
原稿方向がポートレイト方向であり、編綴位置が右であり、正順印刷をする場合に必要な用紙の方向は、ランドスケープ方向（横方向）であるが（ステップＳ６０９）、この方向の用紙は用意されていない（ステップＳ６１１でＮＯ）。次に、逆順印刷をする場合に必要な用紙の方向は、ポートレイト方向であるが（ステップＳ６１７）、この方向の用紙が用意されているので（ステップＳ６１９でＹＥＳ）、逆順で印刷をする（ステップＳ６２５又はＳ６２９）。
【０１２７】
次に、同様に、装置には、左側編綴位置の編綴機構のみがあるとする。そして、ランドスケープ方向（横方向）の用紙のみが用意されている場合には次のようになる。
【０１２８】
原稿方向がポートレイト方向であり、編綴位置が左であり、正順印刷をする場合に必要な用紙の方向は、ポートレイト方向であるが（ステップＳ６０９）、この方向の用紙は用意されていない（ステップＳ６１１でＮＯ）。次に、逆順印刷をする場合に必要な用紙の方向は、ランドスケープ方向であるが（ステップＳ６１７）、この方向の用紙が用意されているので（ステップＳ６１９でＹＥＳ）、逆順で印刷をする（ステップＳ６２５又はＳ６２９）。
【０１２９】
原稿方向がポートレイト方向であり、編綴位置が右であり、正順印刷をする場合に必要な用紙の方向は、ランドスケープ（横方向）であるが（ステップＳ６０９）、この方向の用紙は用意されているので（ステップＳ６１１でＹＥＳ）、正順で印刷をする（ステップＳ６１３）。
【０１３０】
次に、同様に、装置には、左側編綴位置の編綴機構のみがあるとする。そして、ポートレイト方向の用紙とランドスケープ方向（横方向）の用紙の双方が用意されている場合には次のようになる。
【０１３１】
原稿方向がポートレイト方向であり、編綴位置が左であり、正順印刷をする場合に必要な用紙の方向は、ポートレイト方向であるが（ステップＳ６０９）、この方向の用紙が用意されているので（ステップＳ６１１でＹＥＳ）、正順で印刷をする（ステップＳ６１３）。
【０１３２】
原稿方向がポートレイト方向であり、編綴位置が右であり、正順印刷をする場合に必要な用紙の方向は、ランドスケープ方向（横方向）であるが（ステップＳ６０９）、この方向の用紙は用意されているので（ステップＳ６１１でＹＥＳ）、正順で印刷をする（ステップＳ６１３）。
【０１３３】
原稿方向がランドスケープ方向である場合の説明は省略する。
【０１３４】
次に、変形した方法の説明をする。
【０１３５】
図１０Ｂに示すように、ステップＳ６１７で決定したサイズと方向の用紙が印刷用に準備されているならば（ステップＳ６１９でＮＯ）、ステープルの設定を解除してよいかを利用者に問い合わせ（ステップＳ６３１）、よい場合に限り（ステップＳ６３１でＹＥＳ）、ステープルの設定を解除してから（ステップＳ６３３）、ステップＳ６０３に進むようにして、良くなければ印刷を中止してもよい。
【０１３６】
更に、図１０Ｃに示すように、逆順印刷が選択され針なし印刷が指定された場合において、印刷ページ数が閾値を超えるのであれば（ステップＳ６２１でＹＥＳ）、針ありに変更してもよいかどうかを調べ（ステップＳ６３５）、よい場合に限り（ステップＳ６３５でＹＥＳ）、逆順印刷をしてから（ステップＳ６２３）、針なしのステープル処理を行い（ステップＳ６２５）、よくない場合には（ステップＳ６３５でＮＯ）、ステープルの設定を解除してから（ステップＳ６３３）、ステップＳ６０３に進むようにしてもよい。
【０１３７】
ここで、針ありに変更してもよいかどうかを調べることには、設定によりそうなっているかどうかを調べることと、利用者に問い合わせて、利用者による選択を調べることが含まれる。以下、同様である。
【０１３８】
更に、図１０Ｄに示すように、逆順印刷が選択され針なし印刷が指定された場合において、印刷ページ数が閾値を超えるのであれば（ステップＳ６２１でＹＥＳ）、針ありに変更してもよいかどうかを調べ（ステップＳ６３５）、よい場合に限り（ステップＳ６３５でＹＥＳ）、逆順印刷をしてから（ステップＳ６２３）、針なしのステープル処理を行い（ステップＳ６２５）、よくない場合には（ステップＳ６３５でＮＯ）、次のことを行うようにしてもよい。つまり、よくない場合には（ステップＳ６３５でＮＯ）、印刷を中止してもよいかを利用者に問い合わせ、よい場合には（ステップＳ６３７でＹＥＳ）、印刷を中止し、よくない場合には（ステップＳ６３７でＮＯ）、ステープルの設定を解除してから（ステップＳ６３３）、ステップＳ６０３に進むようにしてもよい。
【０１３９】
更に、図１０Ｅに示すように、逆順印刷が選択され針なし印刷が指定された場合において、印刷ページ数が閾値を超えるのであれば（ステップＳ６２１でＹＥＳ）、印刷を中止してもよいかを利用者に問い合わせ、よい場合には（ステップＳ６３９でＹＥＳ）、印刷を中止し、よくない場合には（ステップＳ６３９でＮＯ）、ステープルの設定を解除してから（ステップＳ６３３）、ステップＳ６０３に進むようにしてもよい。
【０１４０】
更に、図１０Ｆに示すように、逆順印刷が選択され針なし印刷が指定された場合において、印刷ページ数が閾値を超えるのであれば（ステップＳ６２１でＹＥＳ）、針あり印刷をしてもよいかを利用者に問い合わせ、よい場合には（ステップＳ６３５でＹＥＳ）、逆順印刷をしてから（ステップＳ６２３）、針ありステープル処理をし（ステップＳ６２５）、針あり印刷でよくない場合には（ステップＳ６３５でＮＯ）、印刷を中止してもよい。
【０１４１】
更に、図１０Ｇに示すように、逆順印刷が選択され針なし印刷が指定された場合において、印刷ページ数が閾値を超えるのであれば（ステップＳ６２１でＹＥＳ）、印刷を中止してもよい。
【０１４２】
更に、図１０Ｈに示すように、逆順印刷をする場合には、針ありが指定されている場合であっても（ステップＳ６２０でＹＥＳ）、印刷ページ数が閾値を超えていなければ（ステップＳ６４１でＮＯ）、針なしのステープル処理への変更が許可されていることを条件として（ステップＳ６２３でＹＥＳ）、逆順印刷をしてから（ステップＳ６２７）、針なしのステープル処理を行ってもよい（ステップＳ６２９）。なお、逆順印刷をする場合には、針ありが指定されている場合であっても（ステップＳ６２０でＹＥＳ）、印刷ページ数が閾値を超えていなければ（ステップＳ６４１でＮＯ）、逆順印刷をしてから（ステップＳ６２７）、針なしのステープル処理を行ってもよい（ステップＳ６２９）。また、図１０Ｈの針ありが指定されている場合の動作を図１０Ａ乃至図１０Ｇの針なしが指定されている場合の動作と組み合わせることができる。
【０１４３】
更に、図１０Ｉに示すように、ステップＳ６０９、Ｓ６１１の前にステップＳ６１７、Ｓ６１９を実行してもよい。この場合、逆順印刷のほうが正順印刷よりも優先される。つまり、正順印刷用の用紙があっても、逆順印刷用の用紙があれば、逆順印刷が実行されることになる。図１０Ａの方法から図１０Ｉの方法を派生させたのと同様に、図１０Ｂ乃至図１０Ｈの方法から他の方法を派生させることができる。
【０１４４】
ここで、印刷順序の変更について図１１を参照して説明する。図１１は、印刷順序の変更の説明図である。印刷順序の変更は、図５に示した制御部５０の印刷ジョブ実行部５２によって実行される。例えば全４ページの原稿を通常印刷、即ち、印刷を正順印刷にする場合、記憶部６０上の制御用データテーブルは、図１１ａに示すようになる。図１１ａに示すように、各ページの画像の記憶アドレスに対して、印刷順序を示すデータが、添えられている。印刷ジョブ実行部５２は、このテーブルを参照することにより、アドレスＡから読み出したページ１の画像の印刷順序を１番であると認識して印刷処理を行い、アドレスＢから読み出したページ２の画像の印刷順序を２番であると認識して印刷処理を行い、アドレスＣから読み出したページ３の画像の印刷順序を３番であると認識して印刷処理を行い、アドレスＤから読み出したページ４の画像の印刷順序を４番であると認識して印刷処理を行う。
【０１４５】
一方、逆順印刷を行う場合は、印刷順序の変更を行う。図１１ｂに示すように、この変更によって、アドレスＡから読み出すページ１の画像の印刷順序は４番、アドレスＢから読み出すページ２の画像の印刷順序は３番、アドレスＣから読み出すページ３の画像の印刷順序は２番、アドレスＤから読み出すページ４の画像の印刷順序は１番となる。尚、印刷順序の変更処理としては、印刷先頭を示すフラグを、正順印刷の場合には先頭に付与して１つずつ繰り下げ、逆順の場合には最後尾に付与して１つずつ繰り上げる方法でも良い。
【０１４６】
以上のフローにより、ステープル位置Ｓが１箇所しかない後処理装置を内蔵、又は装着した複合機であっても、印刷を逆順印刷にすることで、ユーザが設定する正しい位置にステープル位置を設定してステープル処理を実行することができると共に、逆順印刷をした場合には、針を使わない圧着方式によるステープル処理により用紙を編綴するようにしたので、後処理装置を取り換えることなく、ソフトウェアの変更だけで対応できると共に、美観のある編綴仕上げを実現することができる。
【０１４７】
［第２の実施の形態］
第１の実施の形態においては、奥に対応する位置にのみステープル機構が搭載された後処理装置を内蔵、又は装着した複合機について説明したが、手前に対応する位置にのみステープル機構が搭載された後処理装置を内蔵、又は装着した複合機であっても、同様の方法で、ユーザが意図する正しいステープル位置Ｓにてステープル処理を行うことができる。この場合、図１において指定した正しい位置でステープル処理ができなかったケースが、指定した正しい位置でステープル処理ができ、指定した正しい位置でステープル処理ができたケースが、指定した正しい位置でステープル処理ができなくなる。その場合には、同様に、指定した正しい位置でステープル処理ができなくなったケースにおいて逆順印刷をすれば良い。
【０１４８】
後処理装置９００は、複合機８００と別個のものであってもよいし、複合機８００と一体化されていてもよい。
【０１４９】
なお、前記の編綴装置又は編綴装置と複合機を含む印刷編綴装置は、ハードウェア、ソフトウェア又はこれらの組合せにより実現することができる。また、前記の編綴装置又は編綴装置と複合機を含む印刷編綴装置により行なわれる編綴処理又は印刷編綴処理も、ハードウェア、ソフトウェア又はこれらに組合せにより実現することができる。ここで、ソフトウェアによって実現されるとは、コンピュータがプログラムを読み込んで実行することにより実現されることを意味する。
【０１５０】
プログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（Ｔａｎｇｉｂｌｅ  ｓｔｏｒａｇｅ  ｍｅｄｉｕｍ）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Ｒｅａｄ  Ｏｎｌｙ  Ｍｅｍｏｒｙ）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＲＯＭ）、フラッシュＲＯＭ、ＲＡＭ（Ｒａｎｄｏｍ    Ａｃｃｅｓｓ  Ｍｅｍｏｒｙ）を含む。また、プログラムは、様々なタイプの一時的なコンピュータ可読媒体（Ｔｒａｎｓｉｔｏｒｙ  ｃｏｍｐｕｔｅｒ  Ｒｅａｄａｂｌｅ  Ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【産業上の利用可能性】
【０１５１】
本発明は、紙を留める編綴処理の際に、編綴機構に依存した編綴位置にかかわらず、正しい位置で用紙を編綴するために利用することができる。
【符号の説明】
【０１５２】
１０      シート給送部
２０      手差し給送部
３０      画像形成部
４０      エンジン部
５０      制御部
５１      印刷ジョブ管理部
５２      印刷ジョブ実行部
５３      画像処理部
５４      ファイル制御部
５５      表示制御部
６０      記憶部
６０ａ    テーブル
６０ｂ    画像メモリ
６０ｃ    処理メモリ
８００    複合機
８２０    原稿読取装置
８２２    スキャナ部
８２４    原稿自動給送部
８４０    演算処理部
８５０    操作パネル部
８５２    表示部
８５４    入力部
８６０    送受信部
８７０    インターフェース
８８０    ハードディスクドライブ（ＨＤＤ）
９００    後処理装置
９１０    後処理制御部
９２０    後処理トレイ
９３０    排紙トレイ
９４０    ステープル装置
９４０ａ  ステープル機構
９５０    パンチ装置
９６０    紙折り装置
９７０    トレイ
９７０ａ  トレイ底板
９７０ｂ  トレイ後端板
９７０ｃ  トレイ天板
【図１】
2018196936.tif 000003
【図２】
2018196936.tif 000004
【図３】
2018196936.tif 000005
【図４】
2018196936.tif 000006
【図５】
2018196936.tif 000007
【図６】
2018196936.tif 000008
【図７】
2018196936.tif 000009
【図８】
2018196936.tif 000010
【図９】
2018196936.tif 000011
【図１０Ａ】
2018196936.tif 000012
【図１０Ｂ】
2018196936.tif 000013
【図１０Ｃ】
2018196936.tif 000014
【図１０Ｄ】
2018196936.tif 000015
【図１０Ｅ】
2018196936.tif 000016
【図１０Ｆ】
2018196936.tif 000017
【図１０Ｇ】
2018196936.tif 000018
【図１０Ｈ】
2018196936.tif 000019
【図１０Ｉ】
2018196936.tif 000020
【図１１】
2018196936.tif 000021
【図１２】
2018196936.tif 000022